【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
紙材の上に印刷された印刷物の排紙領域に光触媒を噴霧する噴霧ノズルを配置したことを特徴とする印刷機。
【請求項２】
前記噴霧ノズルが複数基配置されている請求項1記載の印刷機。
【請求項３】
複数基の前記噴霧ノズルが、前記印刷物の幅方向の全領域に亘って光触媒を噴霧されるように、所定間隔をおいて配置されている請求項2記載の印刷機。
【請求項４】
前記噴霧ノズルは、排紙領域から着脱可能になっている請求項１記載の印刷機。
【手続補正２】
【補正対象書類名】明細書
【補正対象項目名】全文
【補正方法】変更
【補正の内容】
【発明の詳細な説明】
【発明の名称】印刷機
【技術分野】
【０００１】
本発明は、紙材の上に印刷された印刷物の排紙領域に光触媒を噴霧する噴霧ノズルを配置してなる印刷機に関するものである。 
【背景技術】
【０００２】
従来、紙に印刷された印刷物に対して光触媒を付与する技術として、印刷しようとする紙の製造時に紙を構成する繊維そのものに光触媒を練りこみ、得られた紙に印刷を施す方法（第一公知技術／特開２００６−１６１１８３号公報）や、グラビア印刷・フレキソ印刷等に使用されるインクそのものに光触媒を混入させて前記印刷を行う方法（第二公知技術／特開２００３−１６０７４７号公報）等が公知である。
【０００３】
前記公知技術で得られた印刷物を光が差し込む建物の室内に貼付すると、室内における煙草の煙等の悪臭を除去する等の環境浄化の効果を発揮するが、前記第一公知技術で得た印刷物においては光触媒が繊維の中に埋没しているため、その効果が充分発揮されず、また前記第二公知技術で得た印刷物においては、光触媒が印刷されたインクの中に存在するため、第一公知技術より優れた効果を発揮するものの、インク層自体が所定の厚みを持っているので、光触媒が有する本来の効果を充分発揮させることができない。
【特許文献１】特開２００６−１６１１８３号公報
【特許文献２】特開２００３−１６０７４７号公報
【発明の開示】
【発明が解決しようとする課題】
【０００４】
そこで本発明者は、印刷物に付与された光触媒がその効果を充分できるよう、鋭意研究した結果、公知技術と異なり、まず印刷物に対する光触媒の付与段階を変更するとともに、光触媒の付与方法を変更すればよいという事実を見出し、本発明を完成した。従って、本発明の課題は、印刷物に付与された光触媒がその機能を最大限に発揮させ得る光触媒付与印刷物を製造するための印刷機を提供することにある。
【課題を解決するための手段】
【０００５】
本発明は前記の課題を解決するために、紙材の上に印刷された印刷物の排紙領域に光触媒を噴霧する噴霧ノズルを配置した印刷機を使用する。この手段を採用することにより、紙に既にインクが印刷され、そのインクが付着している印刷物の上に光触媒がインクとは別個に付与されるので、印刷物上における光触媒が印刷物の最上部に露出する。また、光触媒を付与する手段が光触媒を懸濁させている懸濁薬剤を噴霧する噴射ノズルであるため、印刷された紙材の上に噴霧する懸濁薬剤の噴霧量の制御ができ、すなわち、適度に薄くかつ均一に懸濁薬剤を付与する機能を発揮させることができ、その結果、紙材そのもの及び印刷そのものの概観・形状を印刷物本来のそれらに維持できる。
【０００６】
また、本発明の印刷機において使用される噴霧ノズルは好ましくは複数基配置されるので、印刷された印刷物の上に前記機能をより効果的に発揮させることができる。この機能をさらにより効果的発揮させるために、本発明に係る印刷機においては、複数基の前記噴霧ノズルが、印刷物の幅方向の全領域に亘って光触媒を噴霧されるように、所定間隔をおいて配置される。
【発明の効果】
【０００７】
上記手段を採用することにより、本発明は、印刷物に付与された光触媒がその機能を最大限に発揮させ得る光触媒付与印刷物を製造するための印刷機を提供することが可能になる。
【発明を実施するための最良の形態】
【０００８】
次に、図面を参照しながら、本発明を実施する場合の最良の実記形態について詳述する。図１及び図２に示すように、図示しない主要部を有する公知の印刷機1から、紙材に印刷された印刷物2が矢印Ｙに示す方向に向かって排紙領域３に送られてくる。排紙領域３には、フレーム又はレール４に複数基の噴霧ノズル５が設置されている。前記噴霧ノズル５は、図示しないタンクには光触媒とその触媒を懸濁させる薬剤とからなる懸濁薬剤が準備されており、そのタンクから前記噴霧ノズル５に対して前記懸濁薬剤が供給されるようになっている。
【０００９】
複数基の前記噴霧ノズル５は、前記印刷物２の幅Ｗ方向の全領域に亘って光触媒を含む懸濁薬剤を噴霧できるように、所定間隔をおいて前記排紙領域３に配置されている。なお、前記噴霧ノズル５は、排紙領域から着脱可能になっており、印刷物２に光触媒を噴霧しないとき、本発明に係る印刷機を通常の印刷機として使用できる。
【００１０】
上記構造の印刷機１を使用して印刷物２に光触媒を付与するとき、排紙領域３に送られてきた印刷物３が移動している間に複数基の噴霧ノズル５から一斉に光触媒を懸濁させている懸濁薬剤を噴霧する。このときの懸濁薬剤の噴霧量は、印刷物２に対して薄くかつ均一に懸濁薬剤を付与して、紙材そのもの及び印刷そのものの概観・形状を印刷物本来のそれらに維持できる程度とする。
【００１１】
このようにして得られた印刷物の表面には懸濁薬剤が希薄に付与されるとともに光触媒そのものの外表面の殆どが露出するように点在する。そのため、本発明の印刷機を経て得られた印刷物を光の当たる室内に貼付すると、光触媒が環境改善に寄与する。
【００１２】
本発明はその根本的技術思想を踏襲し発明の効果を著しく損なわない限度において前記実施形態の一部を変更して実施することができる。例えば、図３に示すように、噴霧ノズル５に圧空を供給する管路の途中に懸濁薬剤用の容器６を設けて、噴霧ノズル５に対する圧空の給送時に容器６から懸濁薬剤が供給されるようにしてもよい。
【００１３】
また、噴射装置を移動、取り外し可能な形状にすることにより汎用品として多種多様の印刷製本紙工関連機器に装着でき短納期、小ロット、低価格で高付加価値印刷物を提供できる機械制御の噴霧ノズル、フレーム又はレールにより施工されるため通常の屋内の光触媒の手作業による噴霧施工に比べロットの均一化を計ることが可能になる。
【産業上の利用可能性】
【００１４】
本発明は、排紙領域に送られてきた印刷物が移動している間に複数基の噴霧ノズルから一斉に光触媒が懸濁されている懸濁薬剤を噴霧して、印刷物に対して薄くかつ均一に光触媒を付与する印刷分野に広く利用できる。
【図面の簡単な説明】
【００１５】
【図１】本発明に係る印刷機の排紙部分に噴射ノズルを配置した態様を示す斜視図である。
【図２】前記排紙部分に噴射ノズルを配置した態様を示す斜視図である。
【図３】本発明に係る他の態様を示す斜視図である。
【符号の説明】
【００１６】
１：印刷機
２：印刷物
３：排紙領域
４：フレーム（レール）
５：噴霧ノズル
６：容器
Ｙ：矢印
Ｗ：幅
【手続補正３】
【補正対象書類名】図面
【補正対象項目名】図１
【補正方法】変更
【補正の内容】
【図１】
2007050605.tif 000001
【手続補正４】
【補正対象書類名】図面
【補正対象項目名】図２
【補正方法】変更
【補正の内容】
【図２】
2007050605.tif 000002
【手続補正５】
【補正対象書類名】図面
【補正対象項目名】図３
【補正方法】変更
【補正の内容】
【図３】
2007050605.tif 000003